(57)【特許請求の範囲】
【請求項１】
表示器と、
該表示器の正面に配置され、該表示器を取り囲む内周を有する目盛板と、
前記表示器の背面に設けられた駆動部により、前記目盛板の正面側を旋回する指針とを備え、
前記指針は、前記表示器の背面を前記回転中心方向とは反対方向に向かい、前記表示器の外周端を越えると、前記表示器の正面と前記目盛板の背面との間を前記回転中心方向に向かい、前記目盛板の内周端を越えると、前記目盛板の正面側を前記回転中心方向とは反対側に向かって延在することを特徴とする表示装置。
【請求項２】
前記指針において、正面から見て、前期表示器と重なる部分は、前記表示器と同一色又は近似色に視認されるようになっていることを特徴とする請求項１に記載の表示装置。
【請求項３】
前記表示器において、正面から見て、前記指針と重なる部分は、前記目盛板と同一色又は近似色に視認されるようになっていることを特徴とする請求項１に記載の表示装置。
【発明の詳細な説明】
【技術分野】
【０００１】
本発明は、回転指示用の目盛板の中央に、ＬＣＤなどの表示器を配置した表示装置に関するものである。
【背景技術】
【０００２】
上述した表示器として、例えば、通常の回転指示用の目盛板の正面側に、表示器を配置するものが考えられている。このような配置とすれば、指針によって表示器の視認が邪魔されることなく、目盛板の中央に表示器を配置することができる。
【０００３】
しかしながら、目盛板が例えば車速などの重要な情報を表示し、表示器が現在時刻などの比較的重要でない情報を表示するような場合など、目盛板を表示器より正面側に配置して、目盛板の視認性をより高めたいという要望があった。
【０００４】
そこで、このような要望に応えるため、図５に示すようなものが提案されている（特許文献１）。図５（ａ）は、従来の表示装置の一例を示す正面図であり、図５（ｂ）は、図５（ａ）の表示装置のＩＩＩ−ＩＩＩ線断面図である。同図に示すように、表示装置は、ディスプレイ１１と、このディスプレイ１１の正面側に配置される目盛板１２とを備えている。この目盛板１２には、目盛１２ａに沿った略円弧状のスリット１２ｂが設けられている。
【０００５】
また、ディスプレイ１１の背面には、駆動装置１４が設けられ、この駆動装置１４により指針１５が旋回される。この指針１５は、目盛板１２の背面側に配置される第１の指針部１５ａと、目盛板の正面側に配置される第２の指針部１５ｂとから構成されている。第１の指針部１５ａと第２の指針部１５ｂとは、目盛板１２に設けられたスリット１２ｂを通じて連結されている。
【０００６】
以上の構成によれば、第１の指針部１５ａがディスプレイ１１の背面で旋回すると、第２の指針部１５ｂがスリット１２ｂに沿って目盛板１２の正面で旋回するため、指針１５がディスプレイ１１の視認を邪魔することなく、目盛板１２上の目盛１２ａを指示することができる。
【特許文献１】ＤＥ４３２１１４６Ａ１
【発明の開示】
【発明が解決しようとする課題】
【０００７】
しかしながら、上述した従来の表示装置では、目盛板１２にスリット１２ｂを設ける必要があり、見栄えが悪く、意匠性が乏しいという問題があった。
【０００８】
そこで、本発明は、上記のような問題点に着目し、目盛板上に設けたスリットをなくしつつ、目盛板を表示器より正面側に配置することにより、意匠性の高い表示器を提供することを課題とする。
【課題を解決するための手段】
【００１１】
上記課題を解決するためになされた請求項１記載の発明は、表示器と、該表示器の正面に配置され、該表示器を取り囲む内周を有する目盛板と、前記表示器の背面に設けられた駆動部により、前記目盛板の正面側を旋回する指針とを備え、前記指針は、前記表示器の背面を前記回転中心方向とは反対方向に向かい、前記表示器の外周端を越えると、前記表示器の正面と前記目盛板の背面との間を前記回転中心方向に向かい、前記目盛板の内周端を越えると、前記目盛板の正面側を前記回転中心方向とは反対側に向かって延在することを特徴とする表示装置に存する。
【００１２】
請求項１記載の発明によれば、目盛板が、表示器の正面に配置され、表示器を取り囲む内周を有している。指針が、表示器の背面に設けられた駆動部により、目盛板の正面側を旋回する。この指針は、表示器の背面を回転中心方向とは反対方向に向かい、表示器の外周端を越えると、表示器の正面と目盛板の背面との間を回転中心方向に向かい、目盛板の内周端を越えると、目盛板の正面側を回転中心方向とは反対側に向かって延在する。以上の構成によれば、駆動部が表示器の背面側にあった場合でも、目盛板にスリットを設けることなく、指針先端が表示器より正面側に配置された目盛板上の目盛を指示することができる。
【００１３】
請求項２記載の発明は、前記指針において、正面から見て、前期表示器と重なる部分は、前記表示器と同一色又は近似色に視認されるようになっていることを特徴とする請求項１に記載の表示装置に存する。
【００１４】
請求項２記載の発明によれば、指針の正面から見て表示器と重なる部分は、表示器と同一色又は近似色に視認されるようになっている。従って、正面から見て、指針の表示器と重なっている部分が指針と視認されず、表示器の一部のように見えるため、指針が目盛板の正面側のみを旋回しているように視認される。
【００１５】
請求項３記載の発明は、前記表示器において、正面から見て、前記指針と重なる部分は、前記目盛板と同一色又は近似色に視認されるようになっていることを特徴とする請求項１に記載の表示装置に存する。
【００１６】
請求項３記載の発明によれば、表示器の正面から見て、指針と重なる部分は、目盛板と同一色又は近似色に視認されるようになっている。従って、正面から見ると、表示器の指針と重なっている部分が表示器と視認されず、目盛板の一部のように見えるため、指針が目盛板の正面側のみを旋回しているように見える。
【発明の効果】
【００１８】
以上説明したように請求項１記載の発明によれば、駆動部が表示器の背面側にあった場合でも、目盛板にスリットを設けることなく、指針先端が表示器より正面側に配置された目盛板上の目盛を指示することができるので、意匠性の高い表示装置を得ることができる。
【００１９】
請求項２記載の発明によれば、正面から見て、指針の表示器と重なっている部分が指針と視認されず、表示器の一部のように見えるため、指針が目盛板の正面側のみを旋回しているように視認されるので、より意匠性の高い表示装置を得ることができる。
【００２０】
請求項３記載の発明によれば、正面から見ると、表示器の指針と重なっている部分が表示器と視認されず、目盛板の一部のように見えるため、指針が目盛板の正面側のみを旋回しているように見えるので、より意匠性の高い表示装置を得ることができる。
【発明を実施するための最良の形態】
【００２１】
第１実施形態
以下、本発明の表示装置を、図面に基づいて説明する。図１は、本発明の表示装置を組み込んだコンビネーションメータの一実施の形態を示す正面図である。図２は、図１に示すコンビネーションメータのＩ−Ｉ線部分断面図である。同図に示すように、本発明の表示装置は、例えば、車両内のコンビネーションメータ２０内に設けられている。このコンビネーションメータには、表示装置として、スピードメータ２１と、タコメータ２２とが備えられている。
【００２２】
上述したスピードメータ２１は、図１に示すように、目盛板２１ａ、指針２１ｂ、表示器としての液晶ディスプレイ（ＬＣＤ）２１ｃから構成されている。目盛板２１ａは、中央に略円形の穴が設けられた正面視ドーナツ状に形成され、その外周に沿って速度目盛２１ａ１が形成されている。また、ＬＣＤ２１ｃは、目盛板２１ａの背面に配置され、目盛板２１ａに設けられた穴を通じて、正面から視認可能となっている。つまり、ＬＣＤ２１ｃが、目盛板２１ａの内周によって囲まれた形となっている。
【００２３】
このＬＣＤ２１ｃには、ウォーニングなどが表示される。また、目盛板２１ａの内周縁と、ＬＣＤ２１ｃの外周縁との間に隙間ができず、正面から見て目盛板２１ａに設けた穴が、ＬＣＤ２１ｃ上に重なっているような構成となっている。
【００２４】
同様に、タコメータ２２も、目盛板２２ａ、指針２２ｂ、表示器としてのＬＣＤ２２ｃから構成されている。目盛板２２ａは、中央に略円形の穴が設けられた正面視ドーナツ状に形成され、その外周に沿って回転数目盛２２ａ１が形成されている。また、ＬＣＤ２２ｃは、目盛板２２ａの背面に配置され、目盛板２２ａに設けられた穴を通じて、正面から視認可能となっている。つまり、ＬＣＤ２２ｃが、目盛板２２ａの内周によって囲まれた形となっている。
【００２５】
このＬＣＤ２２ｃには、例えば、現在時刻などの情報が表示される。また、目盛板２２ａの内周縁と、ＬＣＤ２２ｃの外周縁との間に隙間ができず、正面から見て目盛板２２ａに設けた穴が、ＬＣＤ２２ｃ上に重なっているような構成となっている。
【００２６】
次に、上述したスピードメータ２１の詳細な構成を、図２に示す断面図に基づいて説明する。同図に示すように、スピードメータ２１はさらに、ＬＣＤ２１ｃの背面に配置された駆動部２１ｄと、この駆動部２１ｄにより回転する回転軸２１ｅとを備えている。
【００２７】
指針２１ｂは、第１〜第５指針部２１ｂ１〜２１ｂ５から構成されている。第１指針部２１ｂ１は、上記回転軸２１ｅから、ＬＣＤ２１ｃの背面沿いに、回転軸２１ｅの回転中心方向とは反対方向Ｙ１に向かって延在している。第２指針２１ｂ２は、第１指針部２１ｂ１の端部から、ＬＣＤ２１ｃの外周側面沿いに、正面側に向かって延在している。
【００２８】
第３指針部２１ｂ３は、第２指針部２１ｂ２の端部から、ＬＣＤ２１ｃの正面と目盛板２１ａの背面との間沿いに、回転中心方向Ｙ２に向かって延在している。第４指針部２１ｂ４は、第３指針部２１ｂ３の端部から、ＬＣＤ２１ｃの内周側面沿いに、正面側に向かって延在している。第５指針部２１ｂ５は、第４指針部２１ｂ４の端部から、ＬＣＤ２１ｃの正面沿いに、目盛２１ａ１に向かって延在している。つまり、指針２１ｂは、目盛板２１ａとＬＣＤ２１ｃとの間で回転中心方向に折り返される略Ｓ字状の形状となっている。
【００２９】
以上のように、駆動部２１ｄから、ＬＣＤ２１ｃの背面を回転中心方向Ｙ２とは反対方向Ｙ１に向かい、ＬＣＤ２１ｃの外周端を越えると、ＬＣＤ２１ｃの正面と目盛板２１ａの背面との間を回転中心方向に向かい、目盛板２１ａの内周端を越えると、目盛板２１ａの正面を回転中心方向Ｙ２とは反対方向Ｙ１に向かって、指針２１ｂを延在させることにより、駆動部２１ｄがＬＣＤ２１ｃの背面側にあった場合でも、目盛板２１ａにスリットを設けることなく、指針２１ｂ先端がＬＣＤ２１ｃより正面側に配置された目盛板２１ａ上の目盛２１ａ１を指示することができ、意匠性の向上を図ることができる。
【００３０】
また、タコメータ２２は、スピードメータ２１と同様の構成となっており、その詳細な説明は省略する。なお、上述した実施形態では、目盛板２１ａ、２２ａはＬＣＤ２１ｃ、２２ｃの全体を取り囲んでいたが、一部を取り囲むような構成であってもよい。
【００３１】
また、上述した実施形態では、ＬＣＤ２１ｃの背面に設けた駆動部２１ｄにより回転する回転軸２１ｅから延在する指針２１ｂの場合について説明した。しかしながら、例えば、目盛板２１ａの背面に、ＬＣＤ２１ｃを囲むリングギアを設け、このリングギアを駆動部２１ｄにより回転させると共に、このリングギアの一部から指針を延在する場合にも適用することができる。
【００３２】
この場合、指針は、リングギアから、ＬＣＤ２１ｃ、２２ｃの正面と目盛板２１ａ、２２ａの背面との間を回転中心方向に向かい、目盛板２１ａ、２２ａの内周端を越えると、目盛板２１ａ、２２ａの正面を回転中心方向Ｙ２とは反対方向Ｙ１に向かって延在することとなる。
【００３３】
第２実施形態
ところで、上述した第１実施形態では、指針２１ｂを、ＬＣＤ２１ｃの正面と目盛板２１ａの背面との間を回転中心方向Ｙ２に向かい、目盛板２１ａの内周端を越えると、目盛板２１ａの正面を回転中心方向Ｙ２とは反対方向Ｙ１に向かって、延在させていた。指針２１ｂをこのような形状とすることにより、図１のＡ１に示すように、正面から見ると、指針２１ｂとＬＣＤ２１ｃとが重なってしまう部分が生じてしまう。
【００３４】
従って、目盛板２１ａとＬＣＤ２１ｃとの色が異なり、目盛板２１ａとＬＣＤ２１ｃとの境界がはっきり視認でき、かつ、指針２１ｂと、ＬＣＤ２１ｃとの色が異なるものに、上記形状の指針２１ｂを適用すると、指針２１ｂの回転中心方向Ｙ２の端部がＬＣＤ２１ｃに突出して、見栄えが悪いという問題が生じる。
【００３５】
そこで、図３に示すように、指針２１ｂのＡ１に示す色を、ＬＣＤ２１ｃと同一色又は近似色にすることが考えられる。例えば、目盛板２１ａの色が白、ＬＣＤ２１ｃの色が暗色系で、指針２１ｂの色が青であった場合、指針２１ｂのＡ１については、ＬＣＤ２１ｃと同様に暗色系にして、目盛板２１ａとラップするＡ２については、青にする。このようにすれば、正面から見て、指針２１ｂのＬＣＤ２１ｃと重なっている部分Ａ１が指針２１ｂと視認されず、ＬＣＤ２１ｃの一部のように見えるため、指針２１ｂが目盛板２１ａの正面側のみを旋回しているように視認でき、意匠性の向上を図ることができる。
【００３６】
また、図４に示すように、ＬＣＤ２１ｃの正面から見て、指針２１ｂと重なる部分Ａ３を、目盛板２１ａと同一色又は近似色にすることも考えられる。具体的には、目盛板２１ａの色が白、ＬＣＤ２１ｃの色が暗色系で、指針２１ｂの色が青であった場合、ＬＣＤ２１ｃのＡ３については、目盛板２１ａと同様に白にする。このようにすれば、正面から見ると、ＬＣＤ２１ｃの指針２１ｂと重なっている部分Ａ３がＬＣＤ２１ｃと視認されず、目盛板２１ａの一部のように見えるため、指針２１ｂが目盛板２１ａの正面側のみを旋回しているように視認でき、意匠性の向上を図ることができる。なお、ＬＣＤ２１ｃのＡ３については、目盛板２１ａと同一部材で形成すれば、より自然に、Ａ３部分が目盛板２１ａの一部のように見える。
【図面の簡単な説明】
【００３７】
【図１】本発明の表示装置を組み込んだコンビネーションメータの一実施の形態を示す正面図である。
【図２】図１に示すコンビネーションメータのＩ−Ｉ線部分断面図である。
【図３】本発明の表示装置であるスピードメータの他の実施形態を示す正面図である。
【図４】本発明の表示装置であるスピードメータの他の実施形態を示す正面図である。
【図５】（ａ）は、従来の表示装置の一例を示す正面図であり、（ｂ）は、（ａ）の表示装置のＩＩＩ−ＩＩＩ線断面図である。
【符号の説明】
【００３８】
２１    スピードメータ（表示装置）
２１ａ  目盛板
２１ｂ  指針
２１ｃ  液晶ディスプレイ（表示器）
２１ｄ  駆動部
２１ｅ  回転軸
２２    タコメータ（表示器）
２２ａ  目盛板
２２ｂ  指針
２２ｃ  液晶ディスプレイ（表示器）
【図１】
0004758636.tif 000002
【図２】
0004758636.tif 000003
【図３】
0004758636.tif 000004
【図４】
0004758636.tif 000005
【図５】
0004758636.tif 000006